(57)【要約】      （修正有）【課題】種子を播種させる作業性を向上させ、更に発芽した苗を定植板に移植させる際に根や子葉を損傷させることなく簡単且つスムースに行え、ほうれん草の栽培にも適用できる種子及び苗用ホルダーを提供する。【解決手段】相対向する一対の吸水性、保水性を有するシート４ａ、４ｂを当接させた給水シート４と、上記給水シート４を保持した吊り下げ具５とを備え、上記給水シート４は、上記各シート４ａ、４ｂ間の隙間に葉菜植物の種子又は苗を保持した状態で上記吊り下げ具５を介して発芽容器１内又は定植板に吊り下げられることを特徴とする。【選択図】図１
2020005509.tif 000002
【特許請求の範囲】
【請求項１】
相対向する一対の吸水性、保水性を有するシート（４ａ）、（４ｂ）を当接させた給水シート（４）と、上記給水シート（４）を保持した吊り下げ具（５）とを備え、
上記給水シート（４）は、上記各シート（４ａ）、（４ｂ）間の隙間（Ｑ）に葉菜植物の種子（Ｐ）又は苗（Ｒ）を保持した状態で上記吊り下げ具（５）を介して発芽容器（１）内又は定植板（１０）に吊り下げられることを特徴とする種子及び苗用ホルダー。
【請求項２】
上記各シート（４ａ）、（４ｂ）が不織布、水に溶けにくい紙、又はウレタンフォームで成形されている請求項１に記載の種子及び苗用ホルダー。
【請求項３】
上記吊り下げ具（５）が支持板（５ａ）と、上記支持板（５ａ）の側面から突出して上記給水シート（４）を貫通する一つ又は複数の突起（５ｂ）と、上記支持板（５ａ）に設けた引掛け部（５ｃ）とで構成されている請求項１又は請求項２に記載の種子及び苗用ホルダー
【請求項４】
上記引掛け部（５ｃ）が上記支持板（５ａ）の上端に水平に取り付けたロッド（５ｄ）、上記支持板（５ａ）の上端両側に張出すフック、上記支持板（５ａ）の上部を逆Ｕ字状に折り曲げたフック（５ｅ）、又は上記支持板（５ａ）の側面に形成したテーパ面（５ｇ）で構成している請求項１、請求項２、請求項３のいずれか一項に記載の種子及び苗用ホルダー。
【請求項５】
上記吊り下げ具（５）が水平なロッド部５ｈと、上記ロッド部５ｈから下方に延ばしたフック５ｊとを備えた線材５ｉから構成されている請求項１に記載の種子又は苗用ホルダー。
【発明の詳細な説明】
【技術分野】
【０００１】
本発明は、水菜、小松菜、リーフレタス、サラダ菜、その他の葉菜植物の水耕栽培に適するばかりでなく、特にほうれん草の種子の播種から苗の定植まで連続して利用できる種子及び苗用ホルダーに関するものである。
【背景技術】
【０００２】
近年、例えば、葉菜植物の栽培には、播種―発芽―定植―収穫までの一連の工程に対応できる産業用のみならず家庭用の水耕栽培装置が開発されるようになっている。
【０００３】
この場合、大きな育苗床に種子を播種させ、次いで種子が発芽してある程度の大きさの苗に育った時、この苗を育苗床から個々に分離してそれぞれ栽培ベッドに設けた定植板に移植し、栽培時期までこの定植板に保持して養液を当てながら育成する方法が採用されている。
【０００４】
そして、この育苗床としては、例えば、特許文献１に開示されているような育苗用シートが利用されている。
この育苗用シートはポリウレタンフォームシートに縦横にミシン目を形成して複数の小片を分離できるようにし、またこの小片にスリットを形成し、このスリットに種子を播種させて適度の温度、湿度の下で発芽させた後に発芽がすすんだ小片ごとに切り取って定植板の定植孔に挿入して移植させるものである。
【先行技術文献】
【特許文献】
【０００５】
【特許文献１】特開２０００−８３４８１号公報（図１、段落０００４、０００５参照）
【発明の概要】
【発明が解決しようとする課題】
【０００６】
上記の特許文献１に示す育苗用シートから成る育苗床には特に機能上の欠陥があるわけではないが、次のような不具合の改善が望まれている。
すなわち、この育苗床ではスリット内に種子を入れて播種させる手作業が面倒であること、
発芽した種子が入った小片ごとにミシン目を介して切断してウレタンフォームシートから分離し、次いでこの小片ごとにその都度定植板に移植しなければならず、その作業が面倒であること、
小片の切り取り時や小片を定植板の定植孔に挿入させる際に根や子葉を損傷させる恐れがあること、等の不具合がある。
そこで、本発明の目的は、種子を播種させる作業性を向上させ、更に発芽した苗を定植板に移植させる際に根や子葉を損傷させることなく簡単且つスムースに行え、ほうれん草の栽培にも適用できる種子及び苗用ホルダーを提供することである。
【課題を解決するための手段】
【０００７】
上記の目的を達成させるため、本発明の種子及び苗用ホルダーは、相対向する一対の吸水性、保水性を有するシートを当接させた給水シートと、上記給水シートを保持した吊り下げ具（５）とを備え、上記給水シートは、上記各シート、間の隙間に葉菜植物の種子又は苗を保持した状態で上記吊り下げ具を介して発芽容器内又は定植板に吊り下げられることを特徴とするものである。
【発明の効果】
【０００８】
本発明の種子及び苗用ホルダーによれば、これを使用することにより次の効果を達成できる。
Ａ）種子の播種時には二枚のシート間の隙間に種子を入れるだけで播種できるから播種作業が容易で、播種作業のスピードアップを図れる。
Ｂ）同じく、二枚のシートは吸水性、保水性に富むからこのシートに所定量の水を供給することで発芽に適した水量、湿度、酸素を調節でき、植物に応じた発芽管理が可能となる。
Ｃ）定植時には給水シート内で発芽させた苗をそのままの状態を維持しながら定植板に持って行って吊り下げれば移植できるので播種―発芽―定植―収穫までの工程を一つのホルダーを使用して連続行え、水耕栽培の作業や管理の省力化が図れる。
Ｄ）苗を保持したまま定植板に吊り下げれば移植できるので、移植時に根や子葉に損傷を与えないで済む。
Ｅ）同じく定植時には、二枚のシート間に下方に向けて隙間があるので根はこの隙間から下方に自然に延びて根にストレスを与えることなくスムースに伸長させることができる。
Ｆ）二枚のシートは吸水性、保水性に富むからこのシートに所定量の水を供給することで発芽に適した水量、湿度、酸素を調節でき、植物に応じた発芽管理が可能となる。
Ｇ）播種時や移植時には独立して発芽容器又は定植板に複数吊り下げできるので、それぞれのホルダーを独立して管理できる。
【図面の簡単な説明】
【０００９】
【図１】本発明の一実施の形態に種子及び苗用ホルダーを利用した発芽装置の分解斜視図である。
【図２】本発明の一実施の形態に種子及び苗用ホルダーの分解斜視図である。
【図３】図１のＸ−Ｘ線縦断面図である。
【図４】図１のＹ−Ｙ線縦断面図である。
【図５】（Ａ）は給水シートに水を供給している状態の種子及び苗用ホルダーの縦断正面図であり、（Ｂ）は発芽した苗を保持している種子及び苗用ホルダーの縦断正面図である。
【図６】苗を保持した種子及び苗用ホルダーを取り出す状態を示す発芽容器の斜視図である。
【図７】苗を保持した種子及び苗用ホルダーを取付ける状態を示す定植板の斜視図である。
【図８】苗を保持した定植板を取付けた状態の水耕栽培ベッドの斜視図である。
【図９】図８のＶ−Ｖ線縦断面図である。
【図１０】図８のＵ−Ｕ線縦断図である。
【図１１】（Ａ）は他の実施の形態に係る種子及び苗用ホルダーの分解斜視図であり、（Ｂ）は同じく斜視図である。
【図１２】図１１の種子及び苗用ホルダーを取り付ける状態を示す定植板の斜視図である。
【図１３】（Ａ）は更に別の実施の形態に係る種子及び苗用ホルダーの分解斜視図であり、（Ｂ）は同じく斜視図である。
【図１４】図１３の種子及び苗用ホルダーを取り付ける状態を示す定植板の斜視図である。
【図１５】（Ａ）は別の実施の形態に係る種子及び苗用ホルダーの分解斜視図、（Ｂ）は組み付けて斜視図である。
【発明を実施するための形態】
【００１０】
本発明は、水菜、小松菜、リーフレタス、サラダ菜、その他の葉菜植物の水耕栽培に適する種子及び苗用ホルダーに関し、特にほうれん草の発芽用及び定植用に利用できる種子及び苗用ホルダー(以下ホルダーと略称する)に関するものである。
【００１１】
近時の葉菜植物の水耕栽培では播種―発芽―定植の工程を経て収穫の工程に進むが、本発明に係るホルダー２はこのうち図１〜図５に示すように種子の播種から発芽までの工程時、図６〜図１０に示すように、その後の苗の定植板への移植工程及び収穫工程時にも連続して利用できるものである。    
即ち、このホルダー２の利用により、播種から発芽工程時に水量、温度、酸素管理を適正に行え、併せて簡単に苗の定植工程に移行できるようにしたものである。
【００１２】
このホルダー２は、図１、図２に示すように、相対向する一対の吸水性、保水性を有するシート４ａ、４ｂを当接させた給水シート４と、給水シート４を保持した吊り下げ具５とを備えている。
吊り下げ具５は支持板５ａと、支持板５ａの側面から突出して給水シート４を貫通する一つ又は複数の突起５ｂと支持板５ａに設けた引掛け部５ｃとで構成されている。
このホルダー２は、各シート４ａ、４ｂ間の隙間Ｑに葉菜植物の種子Ｐを播種させた状態を保持させた状態で吊り下げ具５を介して給水シート４を発芽容器１（図１、図５参照）内に吊り下げ、又は隙間Ｑ内に苗Ｒを保持させた状態で定植板１０（図７参照）の側部に吊り下げるものである。
即ち、播種―発芽工程では発芽容器１に吊り下げた状態で図５（Ａ）に示すように、各シート４ａ、４ｂ間の隙間Ｑに葉菜植物の種子Ｐを投入して播種させ、次いで図５（Ｂ）に示すように発芽した苗Ｒを保持させておく。
さらに、定稙板１９に移植させる場合は、図６に示すようにホルダー２を発芽容器１から一つ一つ抜き出して図７に示すように苗Ｒを保持させた状態で吊り下げ具５を定植板１０の側部に吊り下げるものである。
【００１３】
以下さらに詳しく述べると、本発明に係るホルダー２を利用した葉菜植物の発芽装置は、図１に示すように、発芽容器１と発芽容器１内に取り外し自在に吊り下げるホルダー２と、発芽容器１の開口部に着脱自在に取付ける蓋３とからなるものである。
ホルダー２は上記したように、給水シート４と、給水シート４を保持した吊り下げ具５とで構成させ、各シート４ａ、４ｂ間の隙間Ｑに葉菜植物の種子Ｐを播種させた状態で吊り下げ具５を介して給水シート４を発芽容器１内に吊り下げるものである。
この場合、発芽容器１の対向する両側内壁に肉厚な段部６、６を長手方向に沿って形成し、各段部６、６上にそれぞれに任意の間隔を置いて複数の溝７を形成し、各溝７に引掛け部５ｃを引掛けて給水シート４を吊り下げるようになっている。
上記の溝７は発芽容器１の側壁の上端１aに形成しても良いが、蓋３を取付けるために段部６を形成し、この段部６上に蓋３を置くようにしている。
上記給水シート４を構成させる二枚の各シート４ａ、４ｂは吸水性、保水性を有する材料、例えば、不織布、水に溶けにくい紙又はウレタンフォームで成形されている。
要するに、シート４ａ、４ｂは毛細管現象を利用）して水分、養分、溶存酸素を種子に供給するものであればよい。
この場合、一方のシート４ｂの上部４ｃを他方のシート４ａの上部より長くしているのが好ましい。
これは、上部が長い他方のシート４ｂの上端を手動又は工具で水平方向に押すことでシート間の上部隙間Ｑを拡げ、上方から種子Ｐを隙間Ｑに簡単に落下させて播種作業を容易にさせる為である。
上記引掛け部５ｃは図２に示すように支持板５ａの上端に水平に取り付けたロッド５ｄで構成させ、このロッド５ｄの両端部を上記発芽容器１の溝７に嵌合して給水シート４を吊り下げるようになっている。
次に播種から発芽までの工程を説明する。
この発芽方法は、上記のホルダー２を利用するもので、次の工程からなるものである。
すなわち、図１に示すように、予め複数のホルダー２を用意しておき、吊り下げ具５を溝７に引掛けながらそれぞれ発芽容器１内に吊り下げておく（第一工程）。
次に、この状態でシート４ａ、４ｂ間の上方の隙間Ｑを手動又は器具で拡げながら図３に示すようにこの隙間Ｑにそれぞれ種子Ｐを任意の間隔を置いて一つ又は複数落下させて収容させ、所定期間保管して待機させておく（第二工程）。      
この場合、一対のシート４ａ、４ｂはａ点で部分的に接合されているので両者の内面同士が接触しており、種子Ｐが発芽容器１内に落下するのが防止される。    
次に、葉菜植物に応じた収穫期間から逆算して所定期間、例えば数日前（※数日；３〜４日では、給水から収穫までの期間としては短すぎるのではないでしょうか？インターネットの情報によると、ほうれん草の生育期間は一カ月程度のようです。）に図５（Ａ）に示すように給水シート４、言い換えれば、一対の各シート４ａ、４ｂに給水器Ｋを介して所定量の水を供給し、毛細管現象を利用して含浸させ、この水を種子Ｐに付与させる（第三工程）。
この所定量の水量は温度、酸素にも関係し、栽培しようとする植物に応じて適正に処理させることが肝要である。
次に種子Ｐを収容したホルダー２を複数吊るした発芽容器１の開口部に蓋３を被せて倉庫などの部屋に保管せ、葉菜植物の適正に沿って遮光、保温、保湿、酸素管理を行う（第四工程）。
この場合、蓋３を被せる代わりに発芽容器１を積み重ねて遮光、保温、保湿、酸素を管理しながら保管しても良い。
これらの管理は栽培する植物対応して行うもので、例えば、ほうれん草の発芽には上記水の水量から遮光、保温、保湿、酸素の管理が行われるものである。
この第四工程中に図５（Ｂ）に示すようにまず種子Ｐから根が出て一対のシート４ａ、４ｂ間の隙間Ｑから下方に延び出し、次に子葉が延び出し発芽を達成させる。
本発明のホルダー２を利用した発芽装置によれば、次の効果を達成できる。
すなわち、発芽容器１に吊り下げた給水シート４の隙間に植物の種子Ｐを播種し、二枚のシート４ａ、４ｂに所定量の水を供給してこの水を含浸させるだけで種子が発芽するので発芽させる作業が容易であり作業性の向上を図れる。
しかも栽培しようとする植物に対応してその都度給水シート４に含浸させる水の水量を調節でき、その結果併せて植物の種子の発芽に適した発芽容器１内の保温、保湿管理が可能となる。
また、二枚のシート４ａ、４ｂは吸水性、保水性に富むからこのシート４ａ、４ｂに所定量の水を供給することで発芽および育苗に適した水量、湿度、温度を調節でき、植物に応じた発芽管理が可能となる。
さらに、給水シート４が二枚のシート４ａ、４ｂから成っていて、二枚のシート４ａ、４ｂ間には下方に向けて隙間があるので根はこの隙間から下方に自然に延びて根にストレスを与えることなくスムースに伸長させることができる。
ホルダー２は独立して発芽容器１内に複数吊り下げできるので、それぞれのホルダー２を独立して管理できる。
さらに、給水シート４に種子Ｐを播種したまま発芽容器１に吊り下げておくので、発芽させることなく種子Ｐを保管でき、この状態を葉菜植物の適正な収穫時期に併せて待機させておき次の発芽工程の準備しておくことが出来る。
また、葉菜植物の適正な収穫時期が近づいた時にはこの時期から逆算して所定の期間前、例えば、数日前に給水シート４に所定量の水を供給して含浸させることにより種子を発芽させることができる。
【００１４】
従って、播種から発芽、その後の収穫までの水耕栽培の管理を無駄なく適正に行うことができる。
本発明のホルダー２を利用した発芽装置では上記の工程で種子Ｐを発芽させるものであるが、発芽した苗Ｒを定植板１０に移植させる場合には苗Ｒを保持したホルダー２をそれぞれ図６に示すように発芽容器１から引き揚げ、そのまま養液が収用されている別の栽培ベッドの定植板１０の側部に吊り下げるものである。
以下定植板１０への移植工程を図７〜図１０に基づいて説明する。
【００１５】
本発明の実施の一例に係るホルダー２を利用した栽培ベッドは、図８に示すように、養液Ｗを収容した定植容器１１と、この定植容器１１の開口部に着脱自在に載置した定植板１０とを備えているものである。
そして、本発明に係るホルダー２は上記したように発芽容器１から引き上げた後に苗Ｒを保持させた状態でそのまま定植板１０の側部に吊り下げ、給水シート４の下部を養液Ｗに浸すものである。
定植板１０は図７に示すように、板状の板本体１０ａと、板本体１０ａの側面部に形成した一つ又は複数の凹溝１０ｂと、凹溝１０ｂの両側に形成した引掛け溝１０ｃ、１０ｃとで構成されている。
【００１６】
定植板１０は一つだけ定植容器１１に設け、この単一の定植板１０にホルダー２を介して葉菜植物の苗Ｒを一つ吊り下げても良いが、図８、図９に示すように二つ以上の定植板１０を結合して水平方向に連続して載置し、それぞれの定植板１０，１０間に苗Ｒを吊り下げて多量生産に対応させるのが好ましい。
この場合は図７に示すように、それぞれの板本体１０ａの右側面部に形成して凹溝１０ｂの両側から水平に張出す少なくとも一対のフック１０ｅ、１０eと、左側面部にフック１０ｅ、１０ｅと対向する位置に形成した一対の係合溝１０ｄ、１０ｄとを設け、一方の、例えば、図５における左側の定植板１０のフック１０ｅを他方の右側の定植板１０の係合溝１０ｄに嵌合して二つの定植板１０、１０を結合し、少なくとも二つ以上の定植板１０、１０を平行に並べて定植容器１１の開口部に載置するようになっている。
上記引掛け溝１０ｃは図７に示すように、上記フック１０ｅの背面部に上記凹溝１０ｂに向けて形成している。
この引掛け溝１０ｃ、１０ｃに後述する引掛け部５ｃを引掛けた時ホルダー２が凹溝１０ｂ内に吊り下げられるようになっている。
【００１７】
栽培ベッドでは発芽容器１で発芽させた葉菜植物の苗Ｒをホルダー２が保持したまま移植させ、収穫まで管理させるものである。
定植板１０を多数並べてそれぞれの定植板１０にそれぞれ苗Ｒを吊り下げて多数移植させる場合は、例えば、図７における左側の一方の定植板１０の凹溝１０ｂに苗Ｒを収容した後、右側の他方の定植板１０の係合溝１０ｄに左側の定植板１０のフック１０ｅを係合させ、二つの定植板１０、１０を一対水平な状態で結合させなら苗Ｒを両側の定植板１０、１０間に吊り下げ、この状態を図８に示すように連続して定植板１０を接続すれば良い。
上記のようにホルダー２を介して葉菜植物の苗Ｒを定植容器１１内に吊り下げた時給水シート４と葉菜植物の苗Ｒの根ＲＡが養液Ｗに浸入し根ＲＡが直接又は給水シート４を介して養液Ｗを吸収し、生育される。
【００１８】
図１１、図１２は本発明の他の実施の一例に係るホルダー２を示すものであり、この実施の形態に係るホルダー２は図２に示す引掛け部５ｃの構成を変更したものである。
即ち、この引掛け部は支持板５ａの上端を逆Ｕ字状に折り曲げて成形されたフック５ｅであり、図１２に示すように、定植板１０の上面に凹溝１０ｂに近接して形成した係止溝１０ｊに嵌合してホルダー２全体を定植板１０の側部に吊り下げるようにしている。
なお、この実施の形態に係るホルダー２を図１の発芽容器１に吊り下げる場合はフック５ｅに支持ロッド５ｆを挿入し、この支持ロッド５ｆを発芽容器１の溝７に引掛ければ良い。
上記フック５ｅは支持板５ａの上端両側に形成されていても良い。
同じく、図１３、図１４は引掛け部の構成を変更した本発明の更に別の実施の形態に係るホルダー２を示す。
このホルダー２の引掛け部は支持板５ａの両側に係止したテーパ面５ｇからなるもので、定植板１０の凹溝１０ｂの両側に形成した傾斜溝１０ｆに楔状に差し込んでホルダー２全体を吊り下げるようにしたものである。
このホルダー２を発芽容器１に吊り下げる場合は、発芽容器１の内側にテーパ面５ｇをもつ引掛け部を嵌合させる傾斜溝を形成しておく必要がある。
図１５は更に別の実施の形態に係るホルダー２を示す。
【００１９】
このホルダー２の吊り下げ具５が水平なロッド部５ｈと、ロッド部５ｋから下方に延ばしたフック５ｊとを備えた線材５ｉから構成されているものである。
そして、このホルダー２の引掛け部は上記のフック５ｊからなるもので、吸水シート４の上部両側に形成した孔５ｈにフック５ｊを引掛けて給水シート４を吊り下げ、線材５iの水平なロッド部５ｋの両端を例えば発芽容器１の溝７や定植板１０の凹溝１０ｂに引掛けるようにしたものである。
但し、上記線材５ｉは図２に実施の形態のように支持板５ａを設け、この支持板５ａに形成した孔にフック５ｊを引掛けるようにしても良い。
図１１〜図１５の実施の形態に示すホルダー２の他の構成、作用、効果は図１、図２に示すホルダー２と同じであるので詳細は省略する。
本発明のホルダー２を利用した栽培ベッドでは次の効果を達成できる。
すなわち、発芽容器１で発芽させた葉菜植物の苗Ｒを定植板１０にホルダー２を介して吊り下げるだけで移植作業を行えるので移植作業を簡単且つスムースに行える。
苗Ｒを定植板１０に吊り下げるだけ移植できるので無理に定植板１０の定植孔等に押し込む必要が無く、その結果苗Ｒの損傷を防止できる。
苗Ｒを吊り下げた時自動的に苗Ｒの根ＲＡを養液Ｗ内に垂れ下げることができ、根ＲＡを養液Ｗ内に侵入させる作業が不要である。
ホルダー２を介して苗Ｒを吊り下げるので、移植時に苗Ｒの根ＲＡに付着している塵等が作業者の手に付着するのが防止できる。
苗Ｒを保持したホルダー２は独立して定植板１０の側部に複数吊り下げできるので、それぞれの苗Ｒを独立して管理できる。
収穫時成長した葉菜植物を切断して回収した後に根ＲＡを定植板１０から取り出す際、この根ＲＡが成長に伴い太くなっていたとしても、定植板１０、１０を分離すれば、容易にこの根ＲＡを定植板１０から取り外すことができる。
なお、本発明に係るホルダー２は最初から定植板１０の側部にに吊り下げながら給水シート４の下部を栽培ベッド内の養液に垂れ下げておき、この状態で給水シート４の隙間Ｑに播種させ、そのまま発芽から栽培まで連続した水耕栽培装置として利用することも可能である。
【符号の説明】
【００２０】
４  給水シート
４ａ、４ｂ  シート
５  吊り下げ具
５ａ  支持板
５ｂ  突起
５ｃ  引掛け部
５ｄ  ロッド
５ｅ  フック
５ｇ  テーパ面
【図１】
2020005509.tif 000003
【図２】
2020005509.tif 000004
【図３】
2020005509.tif 000005
【図４】
2020005509.tif 000006
【図５】
2020005509.tif 000007
【図６】
2020005509.tif 000008
【図７】
2020005509.tif 000009
【図８】
2020005509.tif 000010
【図９】
2020005509.tif 000011
【図１０】
2020005509.tif 000012
【図１１】
2020005509.tif 000013
【図１２】
2020005509.tif 000014
【図１３】
2020005509.tif 000015
【図１４】
2020005509.tif 000016
【図１５】
2020005509.tif 000017